(57)【要約】【課題】プラスイオンとマイナスイオンとを発生させるクッション構造体を提供する。【解決手段】クッション構造体１００は、クッション材１と、カバー部材２と、供給部３とを備える。カバー部材２は、クッション材１を収容する。供給部３は、カバー部材２の内部に活性種を含んだ風を供給する。カバー部材２の内部に活性種を含んだ風を供給する供給部３があるので、プラスイオンとマイナスイオンとを供給することが可能となる。このため、クッション構造体１００を消臭することが可能となる。【選択図】図１
2019141482.tif 000002
【特許請求の範囲】
【請求項１】
クッション材と、
前記クッション材を収容するカバー部材と、
前記カバー部材の内部に、活性種を含んだ風を供給する供給部と
を備える、クッション構造体。
【請求項２】
前記カバー部材は、前記カバー部材の内部と前記カバー部材の外部とを連通する開口部を有する、請求項１に記載のクッション構造体。
【請求項３】
前記風を前記開口部に案内する案内部をさらに備える、請求項２に記載のクッション構造体。
【請求項４】
前記案内部は、第１案内部と第２案内部とを含み、
前記活性種は、プラスイオンとマイナスイオンとを含み、
前記供給部は、前記プラスイオンを含んだ風を前記第１案内部へ供給し、前記マイナスイオンを含んだ風を前記第２案内部へ供給する、請求項３に記載のクッション構造体。
【請求項５】
前記開口部は、複数の第１開口部と複数の第２開口部とを含み、
前記第１案内部は、前記プラスイオンを含んだ風を前記少なくとも１つの第１開口部に案内し、
前記第２案内部は、前記マイナスイオンを含んだ風を前記少なくとも１つの第２開口部に案内し、
前記少なくとも１つの第１開口部の数と、前記少なくとも１つの第２開口部の数とは一致する、請求項４に記載のクッション構造体。
【請求項６】
使用者の生体情報を取得する生体情報取得部と、
前記生体情報に基づいて、前記使用者の状態を推定する推定部と、
前記推定部の推定結果に基づいて前記風を供給するように前記供給部を制御する制御部と
をさらに備えた、請求項１から請求項５のいずれか１項に記載のクッション構造体。
【請求項７】
前記生体情報取得部が取得した前記生体情報を携帯端末に送る通信部をさらに備えた、請求項６に記載のクッション構造体。
【発明の詳細な説明】
【技術分野】
【０００１】
本発明は、クッション構造体に関する。
【背景技術】
【０００２】
従来、マイナスイオンが発生する無機化合物をクッションの内装材に用いる寝具が提供されている。特許文献１に記載の寝具は、各種布団や枕などの寝具の内装材として無機化合物を用いて消臭している。特許文献１に記載の寝具は、マイナスイオンを発生させることができる。
【先行技術文献】
【特許文献】
【０００３】
【特許文献１】特開２００７−９７７５２号公報
【発明の概要】
【発明が解決しようとする課題】
【０００４】
しかしながら、特許文献１に記載の寝具は、マイナスイオンを寝具の内部に巡らすことができない。従って、寝具を効果的に消臭することが困難である。
【０００５】
本発明は上記課題に鑑みてなされたクッション構造体を提供することを目的とする。
【課題を解決するための手段】
【０００６】
クッション構造体は、クッション材と、カバー部材と、供給部とを備える。前記カバー部材は、前記クッション材を収容する。前記供給部は、前記カバー部材の内部に、活性種を含んだ風を供給する。
【発明の効果】
【０００７】
本発明のクッション構造体は、カバー部材の内部に活性種を含んだ風を供給するため、活性種を含んだ風がカバー部材の内部に巡る。この結果、クッション構造体を効果的に消臭できる。
【図面の簡単な説明】
【０００８】
【図１】本発明の実施形態１に係るクッション構造体を示す図である。
【図２】（ａ）は、図１に示すクッション構造体のＩＩＡ−ＩＩＡ断面を示す図である。（ｂ）は、図１に示すクッション構造体１００のＩＩＢ−ＩＩＢ断面を示す図である。
【図３】実施形態２に係るクッション構造体を示す機能ブロック図である。
【図４】実施形態３に係るクッション構造体を示す機能ブロック図である。
【図５】実施形態４に係るクッション構造体と、無線通信ネットワークと、携帯端末とを示す図である。
【図６】実施形態４に係るクッション構造体を示す機能ブロック図である。
【発明を実施するための形態】
【０００９】
以下、本発明の実施形態について、図面を参照しながら説明する。なお、図中、同一又は相当部分については同一の参照符号を付して説明を繰り返さない。
【００１０】
（実施形態１）
図１及び図２を参照して、本発明に係るクッション構造体１００を説明する。図１は、本発明の実施形態１に係るクッション構造体１００を示す。図２（ａ）は、図１に示すクッション構造体１００のＩＩＡ−ＩＩＡ断面を示す。図２（ｂ）は、図１に示すクッション構造体１００のＩＩＢ−ＩＩＢ断面を示す。
【００１１】
クッション構造体１００は、使用者の身体を支える。クッション構造体１００の例としては、座布団、ソファー、寝具、及び乗り物用シートなどがある。
【００１２】
クッション構造体１００は、クッション材１と、カバー部材２と、供給部３と、案内部４とを備える。
【００１３】
クッション材１は、弾性体である。図１及び図２に示すクッション材１の形状は矩形であるが、円形であってもよい。クッション材１の形状は、クッション構造体１００の用途に合わせて形成される。例えば、クッション構造体１００が座布団であれば、使用者の臀部を支えることが可能な形状に形成される。また、クッション構造体１００が乗り物用シートであれば、使用者の臀部と使用者の背部とを支えることが可能な形状に形成される。
【００１４】
クッション材１は、平らな平板部材１１と、複数の波状部を有する波板部材１２とを有する。平板部材１１は、網目状部を備える。波板部材１２は、網目状部を備える。網目状部は、通風性を有する。平板部材１１と波板部材１２とは、交互に積層される。平板部材１１と波板部材１２とを交互に積層することで、クッション材１の厚みを調整できる。
【００１５】
クッション材１は、空隙Ｓを備える。空隙Ｓは、交互に積層された平板部材１１と波板部材１２との間にある空間である。クッション材１は、空隙Ｓを備えることで、クッション材１の内部に風を通すことが可能となる。この結果、クッション材１は、通風性を有する。
【００１６】
クッション材１は、通風性を有する素材であればよく、上記の例に限らない。例えば、クッション材１は、弾性を有する複数の線状体のそれぞれが、絡み合いながら互いに重なりあって形成された網状構造体であってもよい。網状構造体は、空隙Ｓを備える。このため、クッション材１は、風を通すことが可能となる。また、クッション材１は、通風性のある袋にコイルスプリングを封入し、袋に封入されたコイルスプリングを複数並べてもよい。コイルスプリングは、空隙Ｓを備える。また、複数のコイルスプリングが並ぶ場合、コイルスプリングとコイルスプリングとの間にも空隙Ｓを備える。このため、クッション材１は、風を通すことが可能となる。また、クッション材１は、多孔質の弾性体であってもよい。弾性体は、微細な空隙Ｓを複数備える。このため、クッション材１は、風を通すことが可能となる。
【００１７】
カバー部材２は、クッション材１を覆う。クッション材１は、布のような通風性を有する部材から成ることが好ましい。カバー部材２は、クッション材１を収容する。カバー部材２は、開口部２１を有する。開口部２１の少なくとも一部が網目状である。
【００１８】
開口部２１は、カバー部材２の内部とカバー部材２の外部とを連通する。開口部２１は、カバー部材２に複数配置される。このため、使用者が開口部２１のいずれか一部を塞いだとしても、他の開口部２１が塞がれていないので、クッション構造体１００の通気性を保つことが可能となる。なお、図１に示すように、クッション構造体１００のカバー部材２は、６個の開口部２１を備えているが、開口部２１は６個に限られない。開口部２１を２個備えてもよい。また、開口部２１の形状は、長孔であってもよい。また、長孔は、１つであってもよい。長孔が１つの場合、使用者の身体を囲むような長孔であってもよい。使用者の身体は、例えば、頭部である。使用者の身体を囲むような長孔は、例えば、コの字状、Ｃ型形状などである。
【００１９】
複数の開口部２１は、第１開口部２１１と第２開口部２１２とを含む。第１開口部２１１と第２開口部２１２とは、カバー部材２に複数配置される。図１に示すカバー部材２には、第１開口部２１１が３個配置され、第２開口部２１２が３個配置される。
【００２０】
供給部３は、カバー部材２の内部に活性種を含んだ風を供給する。供給部３が供給した活性種は、クッション構造体１００を消臭する。活性種は、プラスイオン、マイナスイオン、オゾン、及びラジカルなどを含む。つまり、供給部３は、プラスイオンとマイナスイオンとを供給できる。また、供給部３を設けることで、イオン濃度を継続的に維持することが可能である。
【００２１】
供給部３は、ケース３１と、ファン３２と、イオン発生装置３３とを備える。ケース３１は、ファン３２と、イオン発生装置３３とを内装する。ケース３１は、上板３１１と、側板３１２と、底板３１３とで形成される。上板３１１には、風の吹出口３１４が設けられる。吹出口３１４は、複数設けられていてもよい。側板３１２には、イオン発生装置３３が設けられる。底板３１３には、外気を吸入する吸入口３１５が設けられる。また、吸入口３１５の近傍には、フィルターを設けてもよい。なお、吸入口３１５は、側板３１２に設けられてもよい。
【００２２】
ファン３２は、風を発生させる。ファン３２が発生させた風は、吹出口３１４から排出される。具体的には、吸入口３１５から取り入れられた空気は、ファン３２を介して、吹出口３１４へ送られる。ファン３２は、例えばシロッコファンである。
【００２３】
イオン発生装置３３は、活性種を発生させる。つまり、イオン発生装置３３は、プラスイオンとマイナスイオンとを継続的に発生させる。また、イオン発生装置３３は、プラスイオンとマイナスイオンとオゾンとを発生させてもよい。
【００２４】
イオン発生装置３３は、ケース３１に内装される。イオン発生装置３３は、吹出口３１４とファン３２との間に配置される。言い換えれば、風の流れ方向において、ファン３２より下流側にイオン発生装置３３は設けられている。なお、イオン発生装置３３は、ファン３２よりも風の流れ方向において上流側に設けてもよいし、ケース３１の外部に設けてもよい。
【００２５】
イオン発生装置３３は、放電電極３３１と誘導電極３３２とを備える。放電電極３３１は、針電極である。誘導電極３３２は、環状の電極である。誘導電極３３２は、放電電極３３１から一定距離離れて放電電極３３１の周りを囲む。
【００２６】
イオン発生装置３３は、空気中の水蒸気に対してプラズマ放電する。プラズマ放電によって、プラスイオン（Ｈ+）とマイナスイオン（Ｏ2-）とが発生する。プラスイオン（Ｈ+）は、プラスイオン（Ｈ+）の周囲に複数の水分子（Ｈ2Ｏ）がクラスター化したクラスターイオンであり、Ｈ+（Ｈ2Ｏ）ｍ（ただし、ｍは任意の自然数である）と表される。また、マイナスイオン（Ｏ2-）は、マイナスイオン（Ｏ2-）の周囲に複数の水分子（Ｈ2Ｏ）がクラスター化したクラスターイオンであり、Ｏ2-（Ｈ2Ｏ）ｎ（ただし、ｎは任意の自然数である）と表される。また、プラスイオン（Ｈ+）とマイナスイオン（Ｏ2-）とは、空気中を浮遊するカビ菌やウイルスの周りを取り囲み、その表面上で互いに化学反応を起こす。この際に生成される活性種の水酸化ラジカル（・ＯＨ）の作用によって、カビ菌やウイルスの作用を抑える。この結果、クッション構造体１００を消臭できる。
【００２７】
また、クッション構造体１００を使用する使用者に対して、プラスイオンとマイナスイオンとを供給することが可能となる。プラスイオンとマイナスイオンとは、空気中で水分子（Ｈ2Ｏ）と結合する。水分子（Ｈ2Ｏ）と結合したプラスイオンとマイナスイオンとは、肌の表面に付着する。このため、使用者の肌に潤いを与え、保湿できる。
【００２８】
なお、本発明においては、活性種には帯電水微粒子も含むものとする。このとき、イオン発生装置３３は静電霧化装置からなり、静電霧化装置によってラジカル成分を含む帯電水微粒子が生成される。すなわち、静電霧化装置に設けた放電電極３３１をペルチェ素子により冷却することで放電電極３３１の表面に結露水が生じる。次に、放電電極３３１にマイナスの高電圧を印加すると、結露水から帯電水微粒子が生成される。また、放電電極３３１からは帯電水微粒子とともに空気中に放出されるマイナスイオンも発生する。
【００２９】
イオン発生装置３３は、第１イオン発生装置３３３と第２イオン発生装置３３４とを含む。第１イオン発生装置３３３は、プラズマ放電によりプラスイオンを発生させる。第２イオン発生装置３３４は、プラズマ放電によりマイナスイオンを発生させる。このため、プラスイオンとマイナスイオンとを同時に発生させることが可能となり、イオン濃度を増加させることが可能となる。
【００３０】
イオン発生装置３３によって発生したプラスイオンとマイナスイオンとは、ファン３２が発生させた風によって、吹出口３１４に搬送される。このため、ファン３２が発生させた風は、プラスイオンとマイナスイオンとを含む。なお、イオン発生装置３３は、空気中にプラスイオンとマイナスイオンとを放出できるものであれば特に限定されるものではなく、従来から公知の構成を用いることができる。
【００３１】
案内部４は、ファン３２が発生させた風を開口部２１に案内する。案内部４は、吹出口３１４と開口部２１との間に配置される。案内部４は、吹出口３１４と開口部２１とを連結する。クッション構造体１００が案内部４を備えることで、風を開口部２１へ案内することが可能となる。この結果、案内部４によって案内された風は開口部２１を通って、クッション構造体１００の外部へ放出される。
【００３２】
案内部４は、筒状に形成される。筒状の案内部４は、弾性体であってもよい。案内部４を弾性体とすることで、外圧に応じて変形することが可能となる。案内部４は、使用者の体重によって変形するため、使用者に違和感を与えにくい。
【００３３】
案内部４は、第１案内部４１と第２案内部４２とを含む。
【００３４】
第１案内部４１は、第１イオン発生装置３３３に対応する吹出口３１４と第１開口部２１１との間に配置される。つまり、第１案内部４１は、プラスイオンを含んだ風を第１開口部２１１に案内する。また、第１案内部４１は、３本に分岐された風路を備える。図２（ａ）には、第１案内部４１の３本の風路の内、２本の風路が示されている。第１案内部４１と第１案内部４１との間には、第２案内部４２が位置する。図２（ｂ）には、第１案内部４１の３本の風路の内、１本の風路が示されている。第１案内部４１の両側には、第２案内部４２が位置する。
【００３５】
第２案内部４２は、第２イオン発生装置３３４に対応する吹出口３１４と第２開口部２１２との間に配置される。つまり、第２案内部４２は、マイナスイオンを含んだ風を第２開口部２１２に案内する。また、第２案内部４２は、３本に分岐された風路を備える。図２（ａ）には、第２案内部４２の３本の風路の内、１本の風路が示されている。第２案内部４２の両側には、第１案内部４１が位置する。図２（ｂ）には、第２案内部４２の３本の風路の内、２本の風路が示されている。第２案内部４２と第２案内部４２との間には、第１案内部４１が位置する。
【００３６】
第１案内部４１と第２案内部４２とにより、プラスイオンとマイナスイオンとは、それぞれ異なる風路を通る。よって、プラスイオンとマイナスイオンとが再び結合することを抑制できる。この結果、イオン濃度が増加する。
【００３７】
また、クッション構造体１００の外部に放出されるプラスイオンの量とマイナスイオンの量とが偏らないように、開口部２１と案内部４との数とを一致させてもよい。具体的には、第１開口部２１１の数と第２開口部２１２の数とを一致させる。さらに第１案内部４１の風路の数と第２案内部４２の風路の数とを一致させる。また、図２（ａ）及び図２（ｂ）に示すように、第１案内部４１と第２案内部４２とは、交互に配置される。第１案内部４１及び第２案内部４２の配置に合わせて、第１開口部２１１及び第２開口部２１２も交互に配置される。この結果、プラスイオンの量とマイナスイオンの量とが偏らず、クッション構造体１００を効果的に消臭することが可能となる。また、使用者の肌に潤いを与え、保湿することが可能となる。
【００３８】
また、プラスイオンとマイナスイオンとは、同じ開口部２１から送出されてもよい。具体的には、第１イオン発生装置３３３と第２イオン発生装置３３４とは、プラスイオンとマイナスイオンとが送出される開口部２１に対応する案内部４の下流に配置される。また、第１案内部４１と第２案内部４２とが経路の途中で合流してもよい。この結果、開口部２１からプラスイオンとマイナスイオンとが同時に送出される。
【００３９】
また、イオン発生装置３３は、プラスイオンとマイナスイオンとを同時に発生させてもよい。プラスイオンとマイナスイオンとが同時に発生するので、ファン３２は、プラスイオンとマイナスイオンとを開口部２１に送出することが可能となる。この結果、ファン３２は、すべての開口部２１にプラスイオンとマイナスイオンとを送出できる。また、イオン発生装置３３は、プラスイオンとマイナスイオンとが同時に発生するので、プラスイオン用のイオン発生装置３３とマイナスイオン用のイオン発生装置３３とを別個に設ける必要がない。また、ファン３２についても、イオン発生装置３３ごとに設ける必要がない。この結果、１つの供給部３のみでプラスイオンとマイナスイオンと供給できる。
【００４０】
（実施形態２）
図３に基づいて、実施形態２に係るクッション構造体１００を説明する。図３は、実施形態２に係るクッション構造体１００の機能ブロック図である。実施形態２に係るクッション構造体１００は、制御部５をさらに有する点を除いて、実施形態１に係るクッション構造体１００と同様な構成を有するため、重複部分については説明を省略する。
【００４１】
制御部５は、ＣＰＵ（Ｃｅｎｔｒａｌ  Ｐｒｏｃｅｓｓｉｎｇ  Ｕｎｉｔ）のようなプロセッサーによって構成される。制御部５は、制御プログラムを実行することにより、クッション構造体１００の各部の動作を制御する。また、制御部５は、クッション構造体１００を動作させる集積回路を備える。クッション構造体１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００４２】
制御部５は、ファン３２と、第１イオン発生装置３３３と、第２イオン発生装置３３４とにそれぞれ接続されている。制御部５は、ファン３２と、第１イオン発生装置３３３と、第２イオン発生装置３３４とを制御する。具体的には、制御部５は、プラスイオンの量とマイナスイオンの量とが一致するように、第１イオン発生装置３３３と第２イオン発生装置３３４とを制御する。この結果、イオン極性が偏らない。なお、実施形態２においては、イオン極性が偏らない場合を説明したが、制御部５は、プラスイオンの量がマイナスイオンの量より多く発生するように第１イオン発生装置３３３と第２イオン発生装置３３４とを制御してもよい。また制御部５は、マイナスイオンの量がプラスイオンの量より多く発生するように、第１イオン発生装置３３３と第２イオン発生装置３３４とを制御してもよい。なお、このようなマイナスイオンの量と、プラスイオンの量のバランス（イオンバランス）を、使用者が切り替えられるような構成を設けてもよい。例えば、スライドスイッチ、リモコン、後述する実施形態４のような携帯端末操作で切替できるようにすればよい。
【００４３】
（実施形態３）
図４に基づいて、実施形態３に係るクッション構造体１００を説明する。図４は、実施形態３に係るクッション構造体１００の機能ブロック図である。実施形態３に係るクッション構造体１００は、制御部５と、生体情報取得部６とをさらに備える点を除いて、実施形態１に係るクッション構造体１００と同様な構成を備えるため、重複部分については説明を省略する。
【００４４】
実施形態３に係るクッション構造体１００は、制御部５と、生体情報取得部６とを備える。制御部５は、供給部３と、生体情報取得部６とにそれぞれ接続されている。制御部５は、供給部３と、生体情報取得部６とを制御する。
【００４５】
生体情報取得部６は、使用者の生体情報を取得する。生体情報取得部６は、ケース３１に取付けられる。生体情報取得部６は、センサーを備える。センサーは、３軸加速度センサーである。３軸加速度センサーは、使用者の体動を検知する。
【００４６】
制御部５は、推定部７を含む。推定部７は、生体情報取得部６が取得した生体情報から使用者の状態を推定する。具体的には、使用者の体動がある時間継続して停止した場合に、推定部７は、使用者が入眠したと推定する。
【００４７】
制御部５は、推定部７の推定結果に基づいて、供給部３がプラスイオンとマイナスイオンとを含む風を供給するように供給部３を制御する。具体的には、制御部５は、使用者が入眠したと推定部７が推定した場合、ファン３２と、第１イオン発生装置３３３と、第２イオン発生装置３３４とを制御する。
【００４８】
供給部３の動作音は入眠を阻害することがある。このため、制御部５は、使用者が入眠したと推定された後に、供給部３がプラスイオンとマイナスイオンとを含む風を供給するように供給部３を制御する。制御部５は、使用者が入眠したと推定された後に、供給部３を動作させるので、供給部３の動作音が入眠を阻害しない。また、眠っている使用者にプラスイオンとマイナスイオンとを供給することが可能となる。
【００４９】
また、推定部７は、睡眠の深度を推定する。人の睡眠は、レム睡眠と、ノンレム睡眠とに大別される。また、ノンレム睡眠は、段階１から段階４に分類される。ノンレム睡眠は、段階１から段階２までを浅いノンレム睡眠と呼び、段階３から段階４までを深いノンレム睡眠と呼ぶ。人の睡眠は、最初にノンレム睡眠に移行し、次にレム睡眠へと移行する。人の睡眠は、異なる２種類の睡眠を、約９０分周期で繰り返している。推定部７は、使用者が入眠したと推定した直後を浅いノンレム睡眠と推定する。制御部５は、推定部７が深いノンレム睡眠と推定した場合に、供給部３がプラスイオンとマイナスイオンとを含む風を供給するように供給部３を制御する。深いノンレム睡眠時の使用者は、聴力が低下している。このため、制御部５は、供給部３がプラスイオンとマイナスイオンとを含む風を供給するように供給部３を制御しても、深いノンレム睡眠時の使用者には、動作音が聞こえにくい。よって、使用者の睡眠を阻害することを抑制できる。
【００５０】
また、推定部７は、入眠の推定と睡眠の深度の推定との他に、起床を推定してもよい。起床を推定する場合は、使用者の体動をある時間継続して生体情報取得部６が取得した場合に、起床と推定する。
【００５１】
なお、生体情報は、脈拍であってもよい。この場合、推定部７は、脈拍数に基づいて使用者の入眠を推定する。
【００５２】
生体情報取得部６は、使用者の指先又は手首に配置される。生体情報取得部６は、脈拍センサーを含む。脈拍センサーは、心拍の一周期中の最も鋭いピークであるＲ波を検知する。
【００５３】
制御部５は、Ｒ波とＲ波との間隔（Ｒ−Ｒ間隔）のゆらぎのパワースペクトルを解析する。その結果、交換神経と副交感神経との活動状態を知ることができる。交換神経が副交感神経より優位に働く場合は、身体が緊張しており、身体が覚醒している状態である。つまり、起きている状態である。また、副交感神経が交換神経より優位に働く場合は、身体がリラックスしており、身体が休んでいる状態である。つまり、眠っている状態である。
【００５４】
副交感神経が交換神経より優位に働いていると制御部５が解析した場合、推定部７は、使用者が入眠したと推定する。
【００５５】
（実施形態４）
図５及び図６に基づいて、実施形態４を説明する。図５は、実施形態４のクッション構造体１００と、無線通信ネットワーク１０１と、携帯端末８とを示す。図６は、実施形態４の機能ブロック図を示す。実施形態４に係るクッション構造体１００は、制御部５と、生体情報取得部６と、通信部９を備える点を除いて、第１実施形態に係るクッション構造体１００と同様な構成を備えるため、重複部分については説明を省略する。
【００５６】
制御部５は、供給部３と、生体情報取得部６と、通信部９とにそれぞれ接続されている。
【００５７】
通信部９は、クッション構造体１００を無線通信ネットワーク１０１に接続する。通信部９は、無線通信ネットワーク１０１を介して、携帯端末８とデータを送受信する。この結果、クッション構造体１００は、取得した生体情報を携帯端末８に送ることが可能となる。
【００５８】
携帯端末８は、スマートフォン、携帯電話、タブレット端末、又はＰＤＡ（Ｐｅｒｓｏｎａｌ  Ｄｉｇｉｔａｌ  Ａｓｓｉｓｔａｎｔ）などのポータブルデバイスである。携帯端末８は、操作部８１と、記憶部８２と、センサー８３と、通信部８４と、制御部８５とを備える。
【００５９】
操作部８１は、使用者からの操作を受け付ける。操作部８１は、各種情報を表示する表示部と各種操作キーを備える。表示部は、表示手段及び入力手段として機能するタッチパネルであってもよい。
【００６０】
記憶部８２は、アプリケーションプログラムを記憶する。記憶部８２は、例えば、半導体メモリーやＨＤＤである。記憶部８２は、クッション構造体１００を遠隔操作するためのアプリケーションプログラムを記憶している。アプリケーションプログラムは、携帯端末８にインストールされる。
【００６１】
センサー８３は、傾きを検知する。センサー８３は、３軸加速度センサーである。３軸加速度センサーは、携帯端末８の傾きを検知する。
【００６２】
通信部８４は、携帯端末８を無線通信ネットワーク１０１に接続する。通信部８４は、無線通信ネットワーク１０１を介して、クッション構造体１００と各種データを送受信する。例えば、通信部８４は、クッション構造体１００にデータを送信できる。また、通信部８４は、クッション構造体１００からの応答要求に応じる。
【００６３】
制御部８５は、制御プログラム又はアプリケーションプログラムを実行することにより、携帯端末８の各部の動作を制御する。制御部８５は、ＣＰＵのようなプロセッサーによって構成される。また、制御部８５は、携帯端末８を動作させる集積回路を備える。制御部８５は、操作部８１と、記憶部８２と、センサー８３と、通信部８４とにそれぞれ接続される。
【００６４】
また、制御部８５は、クッション構造体１００を制御する。具体的には、制御部８５は、供給部３の動作を制御する。
【００６５】
制御部８５は、推定部８５１を備える。具体的には、制御部８５のプロセッサーは、制御プログラム又はアプリケーションプログラムを実行して、推定部８５１として機能する。推定部８５１は、生体情報取得部６が取得した生体情報に基づいて、使用者の状態を推定する。具体的には、制御部８５は、無線通信ネットワーク１０１を介して、生体情報取得部６から生体情報を取得する。この結果、推定部８５１は、生体情報取得部６が取得した生体情報に基づいて使用者の状態を推定できる。
【００６６】
また、推定部８５１は、センサー８３の検知結果から、使用者の状態を推定する。具体的には、推定部８５１は、センサー８３によって検知される携帯端末８の傾きを使用者の体動であると推定する。例えば、携帯端末８は、クッション構造体１００の近傍に配置される。クッション構造体１００には、使用者の身体が支持される。クッション構造体１００は、使用者の体動に合わせて変形する。クッション構造体１００の変形によって、携帯端末８に傾きが生じる。このため、携帯端末８のセンサー８３は、クッション構造体１００に支持された使用者の体動を検知することが可能となる。
【００６７】
推定部８５１は、センサー８３の検知結果に基づいて、使用者の状態を推定する。具体的には、ある時間継続して使用者の体の動きが停止した場合に、推定部８５１は、使用者が入眠したと推定する。
【００６８】
なお、操作部８１の表示部に、クッション構造体１００の生体情報取得部６の取得した情報を表示してもよい。また、操作部８１の表示部に、センサー８３の検知結果を表示してもよい。
【００６９】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００７０】
（１）
また、供給部３をクッション構造体１００に内装せず、供給部３をクッション構造体１００の外部に設けてもよい。供給部３をクッション構造体１００の外部に設ける場合、案内部４は、クッション構造体１００の内部からクッション構造体１００の外部に延伸される。延伸された案内部４は、外部に設けられた供給部３の吹出口３１４に接続される。
【００７１】
（２）
また、ケース３１の上板３１１と側板３１２と底板３１３とは、各々複数の孔を有してもよい。活性種を含む風は、複数の孔を通って、クッション構造体１００の内部に供給される。また、クッション構造体１００の内部に供給された活性種を含む風は、空隙Ｓを通って、クッション構造体１００の内部に拡散される。この結果、クッション構造体１００の内部をより効果的に消臭できる。さらに、カバー部材２が通風性を有する素材で構成される場合、活性種を含む風は、クッション構造体１００の内部を通って、カバー部材２から外部に流出する。この結果、供給部３は、クッション構造体１００の外部に活性種を含む風を供給することが可能となる。
【００７２】
（３）
また、クッション構造体１００は、案内部４を有さない構成でもよい。クッション構造体１００が案内部４を有さないため、活性種を含む風は、クッション構造体１００の内部に供給される。また、クッション構造体１００の内部に供給された活性種を含む風は、空隙Ｓを通って、クッション構造体１００の内部に拡散される。この結果、クッション構造体１００の内部をより効果的に消臭できる。さらに、カバー部材２が通風性を有する素材で構成される場合、活性種を含む風は、クッション構造体１００の内部を通って、カバー部材２から外部に流出する。この結果、供給部３は、クッション構造体１００の外部に活性種を含む風を供給することが可能となる。
【００７３】
（４）
また、案内部４は複数の孔を有してもよい。複数の孔は、筒状に形成された案内部４の壁に設けられる。複数の孔は、活性種を含む風をクッション構造体１００の内部に案内する。具体的には、複数の孔は、孔を介してクッション構造体１００の内部の空隙Ｓに活性種を含む風を案内する。この結果、供給部３は、開口部２１及び案内部４の複数の孔の各々から、活性種を含む風を供給できる。よって、クッション構造体１００の内部をより効果的に消臭しつつ、クッション構造体１００の外部にも活性種を含む風を送出できる。また、カバー部材２が通風性を有する場合、開口部２１だけでなく、カバー部材２からも、活性種を含む風をクッション構造体１００の外部に送出できる。
【００７４】
（５）
また、活性種を含む風は、ケース３１の複数の孔と、案内部４の複数の孔とからクッション構造体１００の内部に供給されてもよい。さらに、活性種を含む風は、通風性を有するカバー部材２と、開口部２１とからクッション構造体１００の外部に送出されてもよい。この結果、クッション構造体１００の内部をより効果的に消臭しつつ、クッション構造体１００の外部にも活性種を含む風を送出できる。なお、この構成においては、案内部４に孔が無くてもよい。
【００７５】
（６）
また、供給部３は、気体発生装置を備えてもよい。気体発生装置は、芳香剤の成分を含む気体と消臭材の成分を含む気体とを発生させる。また、気体発生装置は、芳香剤の成分を含む気体と消臭材の成分を含む気体との内いずれか一方の気体を発生させてもよい。気体発生装置は、芳香剤と消臭剤とを収容可能な収容部を備える。芳香剤は、植物から採取した精油、固形の芳香剤、及びカプセルに内包された液体の芳香剤である。カプセルは、例えば、ゼラチン製の容器である。カプセルに内包された消臭剤は、カプセルから徐々に染み出して気化する。供給部３は、芳香剤の成分を含む気体と消臭材の成分を含む気体とをクッション構造体１００の内部に供給できる。また、供給部３は、芳香剤の成分を含む気体と消臭剤の成分を含む気体とをクッション構造体１００の外部に供給できる。
【産業上の利用可能性】
【００７６】
本発明は、クッション構造体の分野に利用可能である。
【符号の説明】
【００７７】
１      クッション材
２      カバー部材
３      供給部
４      案内部
５      制御部
６      生体情報取得部
７      推定部
８      携帯端末
９      通信部
２１    開口部
４１    第１案内部
４２    第２案内部
１００  クッション構造体
２１１  第１開口部
２１２  第２開口部
【図１】
2019141482.tif 000003
【図２】
2019141482.tif 000004
【図３】
2019141482.tif 000005
【図４】
2019141482.tif 000006
【図５】
2019141482.tif 000007
【図６】
2019141482.tif 000008